(57)【要約】【課題】ペーパーホルダーを確実に支持でき、かつ使用者が手を安定して置ける簡易便器を提供する。【解決手段】簡易便器１の脚部１５に、床面に載置される長尺状の連結プレート２１の基端部２２を接続固定し、かつ該連結プレートの先端部にある固定部２３にペーパーホルダー用支持柱部２４を立設し、該ペーパーホルダー用支持柱部２４の上端部にペーパーホルダー２６を取り付け、該簡易便器１の肘掛部１３と、該ペーパーホルダー用支持柱部２４と、の間であって、簡易便器本体１１の着座部１２の着座面と同じ高さ位置、又は着座面と肘掛部１３の上面との間の高さ位置に、長尺平板状の手置き補助部材３０を水平に架け渡して接続固定した。【選択図】図１
2012135448.tif 000002
【特許請求の範囲】
【請求項１】
簡易便器本体の下部に設けられた脚部と、該簡易便器本体の上面中央に設けられた着座部と、該着座部の左右両側に配置された左右一対の肘掛部と、を備え、かつ該簡易便器本体の周囲にはペーパーホルダーが配置されている簡易便器であって、
該脚部には、床面に載置される長尺状の連結基材の基端部が接続固定されており、かつ該連結基材の先端部にはペーパーホルダー用支持柱部が立設され、該ペーパーホルダー用支持柱部の上端部にペーパーホルダーが取り付けられていると共に、
該肘掛部と、該ペーパーホルダー用支持柱部と、の間には、長尺状の手置き補助部材が架け渡されており、
該手置き補助部材が、該手置き補助部材の上面の高さが該簡易便器本体の着座部の着座面と同じ高さ位置、又は該着座面と該肘掛部の上面との間となるような高さ位置に設定されている
ことを特徴とする簡易便器。
【請求項２】
上記ペーパーホルダーが上記簡易便器本体の斜め前方に配置されている構成にあって、
上記手置き補助部材は、平面視略Ｌ字形状とされており、
肘掛部と接続する部位から前方に延出された前方延出部と、
該前方延出部の前端部から外側方に向けて延出された外側方延出部と、
で構成され、該外側方延出部の先端が上記ペーパーホルダー用支持柱部に接続固定されている
請求項１に記載の簡易便器。
【請求項３】
上記手置き補助部材の上面は水平面である
請求項１又は請求項２に記載の簡易便器。
【発明の詳細な説明】
【技術分野】
【０００１】
本発明は、高齢者など足腰の弱い人や身体の不自由な人が使用する簡易便器に関するものである。
【背景技術】
【０００２】
従来、簡易便器は、種々提案されており、通常、簡易便器本体の下部に設けられた脚部と、該簡易便器本体の上面中央に設けられた着座部と、該簡易便器本体の上面であって該着座部の左右両側に立設された左右一対の肘掛部と、を少なくとも備えている。
【０００３】
さらに、上記構成に加えて、使用者が用を足した際に直ぐにトイレットペーパーを使用できるように該簡易便器本体の脇にペーパーホルダーが配置されている構成も既に開示されている。具体的には、簡易便器本体の脇にポールが立設され、該ポールや該ポール上に形成された手すりにペーパーホルダーが取り付けられている（特許文献１，２参照）。
【先行技術文献】
【特許文献】
【０００４】
【特許文献１】特開平１０−３２８０７１号公報
【特許文献２】特開２００１−２１２０３４号公報
【発明の概要】
【発明が解決しようとする課題】
【０００５】
しかしながら、上記の従来構成は次のような問題があった。すなわち、特許文献１の構成は、上記ペーパーホルダーを使用する際に、該ペーパーホルダーを支持するポール等の支持柱が動いたりぐらついたりして安定性を欠き、トイレットペーパーを引き出したり切断したりする際に使いにくい等の問題があった。また、使用者が立ち上がる際に該支持柱に体を預けた場合、該支持柱が転倒して事故を招来するおそれもあった。ここで、特許文献２の構成は、基部を介して簡易便器本体とペーパーホルダーを支持する部材とが接続されているが、使用者が立ち上がる際に体を安心して預けることができる程充分なものではない。
【０００６】
そこで、本発明は、ペーパーホルダーが確実に固定され、かつ使用者が立ち上がる際に体を支え易い簡易便器を提供することを目的とする。
【課題を解決するための手段】
【０００７】
本発明は、上記課題を解決するためになされたものであり、簡易便器本体の下部に設けられた脚部と、該簡易便器本体の上面中央に設けられた着座部と、該着座部の左右両側に配置された左右一対の肘掛部と、を備え、かつ該簡易便器本体の周囲にはペーパーホルダーが配置されている簡易便器であって、該脚部には、床面に載置される長尺状の連結基材の基端部が接続固定されており、かつ該連結基材の先端部にはペーパーホルダー用支持柱部が立設され、該ペーパーホルダー用支持柱部の上端部にペーパーホルダーが取り付けられていると共に、該肘掛部と、該ペーパーホルダー用支持柱部と、の間には、長尺状の手置き補助部材が架け渡されており、該手置き補助部材が、該手置き補助部材の上面の高さが該簡易便器本体の着座部の着座面と同じ高さ位置、又は該着座面と該肘掛部の上面との間となるような高さ位置に設定されていることを特徴とする簡易便器である。
【０００８】
上記構成においては、ペーパーホルダー支持柱部は、連結基材及び手置き補助部材で簡易便器本体に接続されているため、トイレットペーパー使用時に該ペーパーホルダー用支持柱部の位置が該簡易便器本体に対してずれてしまうことがない。さらに、該ペーパーホルダー用支持柱部は、高さの異なる二部材で該簡易便器本体に接続されているため、該ペーパーホルダー用支持柱部のぐらつきも抑止される。また、該手置き補助部材の上面高さが、着座部の着座面と同じ高さ位置に設定された場合、使用者が立ち上がる際に手を置くことができるスペースが広がるため、使用者にとって安全かつ安心な構造となる。また、該手置き補助部材の上面高さが、該着座面と該肘掛部の上面との間となるような高さ位置に設定された場合、使用者が立ち上がる際片手を置くのに大変都合が良く、丁度力も入りやすい高さであるため、使用者は容易に立ち上がることができる。例えば使用者が立ち上がる際に手を突く場所が肘掛部の上面の高さと同じ、または該上面より高い位置であると高すぎて力が入りにくく立ち上がりにくくなる。
【０００９】
また、上記ペーパーホルダーが上記簡易便器本体の斜め前方に配置されている構成にあって、上記手置き補助部材は、平面視略Ｌ字形状とされており、肘掛部と接続する部位から前方に延出された前方延出部と、該前方延出部の前端部から外側方に向けて延出された外側方延出部と、で構成され、該外側方延出部の先端が上記ペーパーホルダー用支持柱部に接続固定されていることが望ましい。
【００１０】
ここで、ペーパーホルダーが上記簡易便器本体の斜め前方に配置されている構成において、例えば手置き補助部材を直線的な杆材で構成し、肘掛部とペーパーホルダー用支持柱部とを直線的に繋ぐ構成も提案されうるが、このような構成とすると介助者が立つべき簡易便器本体の真横位置を該手置き補助部材が遮ってしまい、介助者が簡易便器本体に近づきにくくなって介助がやりにくくなってしまう。
そこで上記構成にあっては、簡易便器本体の真横位置を手置き補助部材が遮ぎることがないよう、簡易便器本体の真横位置に立った介護者を回り込むようにして該手置き補助部材が架け渡される。このため、上記構成は、介助者が介助し易い簡易便器となる。
【００１１】
さらに、上記手置き補助部材の上面は水平面であることが望ましい。
【００１２】
上記構成とすることにより、使用者が立ち上がる際に該手置き補助部材に手を置き易いという利点がある。
【発明の効果】
【００１３】
本発明の簡易便器は、ペーパーホルダーが確実に固定され、しかも使用者が立ち上がり易いという効果がある。
【図面の簡単な説明】
【００１４】
【図１】簡易便器を示す外観斜視図
【図２】連結基材を示す部分斜視図
【図３】手置き補助部材と肘掛部との接続構造を示す縦断面図
【図４】手置き補助部材とペーパーホルダー用支持柱部との接続構造を示す縦断面図
【発明を実施するための形態】
【００１５】
本発明の簡易便器の一実施例を以下説明する。
図１に示すように、本実施例の簡易便器１０は、便バケツ（図示省略）が収容される簡易便器本体１１と、該簡易便器本体１１の下部に設けられた上下取付位置調節可能な脚部１５と、該簡易便器本体１１の後端部に配置された背もたれ部１４と、該簡易便器本体１１の上面中央であって上記便バケツを囲繞するように形成された着座部１２と、該着座部１２の左右両側に立設され、上下取付位置調節可能な肘掛部１３，１３とを備えている。
【００１６】
また、図１、３に示すように、該肘掛部１３は、該簡易便器本体１１から起立した起立部１３Ａと、該起立部１３Ａの上端に配置される肘掛け本体部１３Ｂとで構成されている。
【００１７】
さらに、図２に示すように、上記脚部１５のベース台１５Ａには、金属製材料からなる長尺状の連結プレート（連結基材）２１の基端部が、該連結プレート２１が床面に載置された状態で接続固定されている。さらに該連結プレート２１の先端部には各筒状の固定部２３が立設され、さらに該固定部２３内にペーパーホルダー用支持柱部２４が挿入固定されて該ペーパーホルダー用支持柱部２４が起立している。なお、該固定部２３においては、ペーパーホルダー用支持柱部２４下端部の固定位置を上下に変更できる構成となっている。
【００１８】
上記ペーパーホルダー用支持柱部２４の上端部には、ヒンジ部材（図示省略）を介して開閉する取付板２５が取り付けられており、該取付板２５の表面に公知のペーパーホルダー２６が取り付けられている。そして、該ペーパーホルダー２６が、上記簡易便器本体１１の左斜め前方に配置されている。
【００１９】
また、図１に示すように、該肘掛部１３の起立部１３Ａと、該ペーパーホルダー用支持柱部２４の中間部と、の間には、長尺の平板部材からなる手置き補助部材３０が水平に架け渡されている。具体的には、該手置き補助部材３０の基端部が肘掛部１３の起立部１３ＡにボルトＡを介して固定され（図３参照）、該手置き補助部材３０の先端部がペーパーホルダー用支持柱部２４にボルトＡを介して固定されている（図４参照）。
【００２０】
また、該手置き補助部材３０の上面は、水平面とされ、かつ該上面の高さ位置は、該簡易便器本体１１の着座部１２の着座面と該肘掛部１３の上面との間の高さ位置に設定されている。このため、例えば右手が不自由な使用者が左手を置いて該左手に体重をかけながら容易に立ち上がることが可能となる。
【００２１】
さらに、該手置き補助部材３０は、平面視略Ｌ字形状であり、肘掛部１３との接続位置から前方に延出された前方延出部３１と、該前方延出部３１の先端から左側の外側方向へ折曲されて延出されている外側方延出部３２とで構成されている。このような構成とすると、簡易便器本体１１の真横位置に介助者が立てるスペースが生じるため、介助を行い易い簡易便器１となる。
【００２２】
脚部１５あるいは肘掛部１３を上下位置高さ調節する場合は、これに伴って、前記連結プレート２１の基端部の固定部２３と、ペーパーホルダー用支持柱部２４との固定位置を適宜段階的に変更し、該手置き補助部材３０を適宜高さ調節することとなる。
なお、手置き補助部材３０の上面高さは、着座部１２の着座面と同じ高さ位置に設定されてもよい。この場合、使用者が立ち上がる際に手を置くことができるスペースが広がるため、使用者は安心して立ち上がることができる。
【００２３】
以上、本発明の実施の形態を実施例により説明したが、本発明の範囲はこれらに限定されるものではなく、請求項に記載された範囲内において目的に応じて変更・変形することが可能である。
例えば、上記手置き補助部材３０は、簡易便器本体１１に対して左右いずれの側に配置してもよい。
また、上記ペーパーホルダー２６の位置は、上述のように簡易便器本体１１の斜め前方位置に限定されることはなく、使用状況に合わせて適宜位置変更可能である。例えば、該ペーパーホルダー２６は、該簡易便器本体１１の真横位置であってもよい。この場合、前記連結プレート２１や手置き補助部材３０の寸法・形状も適宜変更される。
【産業上の利用可能性】
【００２４】
本発明は、ペーパーホルダーを確実に支持でき、かつ使用者が手を安定して置けるようにした簡易便器として、産業上利用することが出来る。
【符号の説明】
【００２５】
１０  簡易便器
１１  簡易便器本体
１２  着座部
１３  肘掛部
１５  脚部
２１  連結プレート（連結基材）
２４  ペーパーホルダー用支持柱
２６  ペーパーホルダー
３０  手置き補助部材
３１  前方延出部
３２  外側方延出部
【図１】
2012135448.tif 000003
【図２】
2012135448.tif 000004
【図３】
2012135448.tif 000005
【図４】
2012135448.tif 000006